(57)【要約】【課題】印刷対象となる画像の出力色空間での色域の調整を容易かつ的確に行うことができるようにすること。【解決手段】本発明は、表示手段に画像を表示する制御を行う画像表示部６と、印刷手段で取り扱う出力色空間での色域に対して画像の色空間を出力色空間に変換した場合の色域がはみ出しているか否かを判定する色域判定部４と、色域判定部４ではみ出している色域があると判定した場合、そのはみ出している色域に対応する画像の表示領域を色域外領域として表示手段の画像に重ねて表示する色域表示部３とを備える画像処理装置である。【選択図】図１
2008015583.tif 000002
【特許請求の範囲】
【請求項１】
表示手段に画像を表示する制御を行う画像表示部と、
印刷手段で取り扱う出力色空間での色域に対して前記画像の色空間を前記出力色空間に変換した場合の色域がはみ出しているか否かを判定する色域判定部と、
前記色域判定部ではみ出している色域があると判定した場合、そのはみ出している色域に対応する前記画像の表示領域を色域外領域として前記表示手段の前記画像に重ねて表示する色域表示部と
を備えることを特徴とする画像処理装置。
【請求項２】
前記画像表示部は、前記印刷手段で取り扱う出力色空間の色域を均等色空間で表した第１のグラフ表示と、前記はみ出している色域を前記均等色空間で表した第２のグラフ表示とを重ねて表示する
ことを特徴とする請求項１記載の画像処理装置。
【請求項３】
前記画像表示部は、前記第１のグラフ表示および前記第２のグラフ表示と前記画像とを並べて前記表示手段に表示する
ことを特徴とする請求項２記載の画像処理装置。
【請求項４】
前記画像表示部は、切り替え指示を受け付けて、前記第１のグラフ表示および前記第２のグラフ表示における空間軸を切り替えた表示を行う
ことを特徴とする請求項２記載の画像処理装置。
【請求項５】
前記画像の色空間を前記出力色空間に変換した場合の色域を縮拡する指示を受け付けて該色域の調整を行う色調整部を備えており、
前記色域判定部は、前記色調整部で調整した後の色域が前記印刷手段で取り扱う出力色空間での色域に対してはみ出しているか否かを判定する
ことを特徴とする請求項１記載の画像処理装置。
【請求項６】
前記画像の色空間を前記出力色空間に変換した場合の色域を縮拡する指示を受け付けて該色域の調整を行う色調整部を備えており、
前記色域表示部は、前記色調整部で調整した後の色域と連動して前記色域外領域を前記表示手段の前記画像に重ねて表示する
ことを特徴とする請求項１記載の画像処理装置。
【請求項７】
前記色調整部は、前記画像の色空間を前記出力色空間に変換した場合の色域を縮拡する際の該色域上の変更開始点と変更終了点とを受け付けて、当該変更開始点と変更終了点とを結ぶ線を中心とした所定の割合で前記色域の縮拡を調整する
ことを特徴とする請求項５または６記載の画像処理装置。
【請求項８】
前記画像表示部は、前記所定の割合の係数を受け付けるための表示を行う
ことを特徴とする請求項７記載の画像処理装置。
【請求項９】
表示手段に画像を表示するステップと、
印刷手段で取り扱う出力色空間での色域に対して前記画像の色空間を前記出力色空間に変換した場合の色域がはみ出しているか否かを判定するステップと、
前記ステップではみ出している色域があると判定した場合、そのはみ出している色域に対応する前記画像の表示領域を色域外領域として前記表示手段の前記画像に重ねて表示するステップと
をコンピュータにより実行することを特徴とする画像処理プログラム。
【請求項１０】
前記表示手段に、前記印刷手段で取り扱う出力色空間の色域を均等色空間で表した第１のグラフ表示と、前記はみ出している色域を前記均等色空間で表した第２のグラフ表示とを重ねて表示するステップを有する
ことを特徴とする請求項９記載の画像処理プログラム。
【請求項１１】
前記表示手段に、前記第１のグラフ表示および前記第２のグラフ表示と前記画像とを並べて前記表示手段に表示する
ことを特徴とする請求項１０記載の画像処理プログラム。
【請求項１２】
前記表示手段に前記第１のグラフ表示および前記第２のグラフ表示を行うにあたり、切り替え指示を受け付けて、前記第１のグラフ表示および前記第２のグラフ表示における空間軸を切り替えた表示を行う
ことを特徴とする請求項１０記載の画像処理装置。
【請求項１３】
前記画像の色空間を前記出力色空間に変換した場合の色域を縮拡する指示を受け付けて該色域の調整を行うステップを有しており、
前記はみだしている領域があるか否かの判定では、前記ステップで調整した後の色域について前記印刷手段で取り扱う出力色空間での色域に対してはみ出しているか否かを判定する
ことを特徴とする請求項９記載の画像処理プログラム。
【請求項１４】
前記画像の色空間を前記出力色空間に変換した場合の色域を縮拡する指示を受け付けて該色域の調整を行うステップを有しており、
前記表示手段には、前記ステップで調整した後の色域と連動して前記色域外領域を前記画像に重ねて表示する
ことを特徴とする請求項９記載の画像処理プログラム。
【請求項１５】
前記色域の調整を行うステップでは、前記画像の色空間を前記出力色空間に変換した場合の色域を縮拡する際の該色域上の変更開始点と変更終了点とを受け付けて、当該変更開始点と変更終了点とを結ぶ線を中心とした所定の割合で前記色域の縮拡を調整する
ことを特徴とする請求項１３または１４記載の画像処理プログラム。
【請求項１６】
前記表示手段に、前記所定の割合の係数を受け付けるための表示を行う
ことを特徴とする請求項１５記載の画像処理プログラム。
【請求項１７】
画像を表示する表示部と、
前記表示部に画像を表示する制御を行う画像表示部と、
前記表示部に表示された画像を印刷する印刷部と、
前記印刷部で取り扱う出力色空間での色域に対して前記画像の色空間を前記出力色空間に変換した場合の色域がはみ出しているか否かを判定する色域判定部と、
前記色域判定部ではみ出している色域があると判定した場合、そのはみ出している色域に対応する前記画像の表示領域を色域外領域として前記表示手段の前記画像に重ねて表示する色域表示部と
を備えることを特徴とする画像処理システム。
【発明の詳細な説明】
【技術分野】
【０００１】
本発明は、画像処理装置、画像処理プログラムおよび画像処理システムに関する。
【背景技術】
【０００２】
特許文献１に記載の画像処理プログラムによれば、ユーザが出力対象となる画像をモニタで参照しながら色域圧縮の範囲を決めることができ、出力デバイスの外側にある色をすべて圧縮する従来手法に比べて無駄の無い圧縮を行うことができるようになっている。すなわち、この方法によれば、出力対象となる画像に対して、印刷装置での色域よりも外側となる色を画像の位置で指定でき、指定された色が色域ビューで色空間のどの位置にあるのかが表示される。その後、ユーザが決定した位置を含むような想定色域外郭が決定され、想定色域を出力デバイスの色域に圧縮することができる。
【０００３】
【特許文献１】特開２０００−５００９１号公報
【発明の開示】
【発明が解決しようとする課題】
【０００４】
しかしながら、一度色域の範囲を設定した後は、画像を見ながらの色域圧縮の微調整を行うことができないという問題がある。特に、こだわりのあるデザイナー等が行う場合は、直観的な色域圧縮の調整とは言い難く、満足のいく調整作業を行うことができないという問題が生じている。
【課題を解決するための手段】
【０００５】
本発明は、このような課題を解決するために成されたものである。すなわち、本願請求項１に係る発明は、表示手段に画像を表示する制御を行う画像表示部と、印刷手段で取り扱う出力色空間での色域に対して前記画像の色空間を前記出力色空間に変換した場合の色域がはみ出しているか否かを判定する色域判定部と、前記色域判定部ではみ出している色域があると判定した場合、そのはみ出している色域に対応する前記画像の表示領域を色域外領域として前記表示手段の前記画像に重ねて表示する色域表示部とを備える画像処理装置である。
【０００６】
また、本願請求項２に係る発明は、上記請求項１に記載の画像処理装置において、前記画像表示部が、前記印刷手段で取り扱う出力色空間の色域を均等色空間で表した第１のグラフ表示と、前記はみ出している色域を前記均等色空間で表した第２のグラフ表示とを重ねて表示するものである。
【０００７】
また、本願請求項３に係る発明は、上記請求項２に記載の画像処理装置において、前記画像表示部が、前記第１のグラフ表示および前記第２のグラフ表示と前記画像とを並べて前記表示手段に表示するものである。
【０００８】
また、本願請求項４に係る発明は、上記請求項２に記載の画像処理装置において、前記画像表示部が、切り替え指示を受け付けて、前記第１のグラフ表示および前記第２のグラフ表示における空間軸を切り替えた表示を行うものである。
【０００９】
また、本願請求項５に係る発明は、上記請求項１に記載の画像処理装置において、前記画像の色空間を前記出力色空間に変換した場合の色域を縮拡する指示を受け付けて該色域の調整を行う色調整部を備えており、前記色域判定部が、前記色調整部で調整した後の色域が前記印刷手段で取り扱う出力色空間での色域に対してはみ出しているか否かを判定するものである。
【００１０】
また、本願請求項６に係る発明は、上記請求項１に記載の画像処理装置において、前記画像の色空間を前記出力色空間に変換した場合の色域を縮拡する指示を受け付けて該色域の調整を行う色調整部を備えており、前記色域表示部が、前記色調整部で調整した後の色域と連動して前記色域外領域を前記表示手段の前記画像に重ねて表示するものである。
【００１１】
また、本願請求項７に係る発明は、上記請求項５または６に記載の画像処理装置において、前記色調整部が、前記画像の色空間を前記出力色空間に変換した場合の色域を縮拡する際の該色域上の変更開始点と変更終了点とを受け付けて、当該変更開始点と変更終了点とを結ぶ線を中心とした所定の割合で前記色域の縮拡を調整するものである。
【００１２】
また、本願請求項８に係る発明は、上記請求項７に記載の画像処理装置において、前記画像表示部が、前記所定の割合の係数を受け付けるための表示を行うものである。
【００１３】
また、本願請求項９に係る発明は、表示手段に画像を表示するステップと、印刷手段で取り扱う出力色空間での色域に対して前記画像の色空間を前記出力色空間に変換した場合の色域がはみ出しているか否かを判定するステップと、前記ステップではみ出している色域があると判定した場合、そのはみ出している色域に対応する前記画像の表示領域を色域外領域として前記表示手段の前記画像に重ねて表示するステップとをコンピュータにより実行する画像処理プログラムである。
【００１４】
また、本願請求項１０に係る発明は、上記請求項９に記載の画像処理プログラムにおいて、前記表示手段に、前記印刷手段で取り扱う出力色空間の色域を均等色空間で表した第１のグラフ表示と、前記はみ出している色域を前記均等色空間で表した第２のグラフ表示とを重ねて表示するステップを有するものである。
【００１５】
また、本願請求項１１に係る発明は、上記請求項１０に記載の画像処理プログラムにおいて、前記表示手段に、前記第１のグラフ表示および前記第２のグラフ表示と前記画像とを並べて前記表示手段に表示するものである。
【００１６】
また、本願請求項１２に係る発明は、上記請求項１０に記載の画像処理プログラムにおいて、前記表示手段に前記第１のグラフ表示および前記第２のグラフ表示を行うにあたり、切り替え指示を受け付けて、前記第１のグラフ表示および前記第２のグラフ表示における空間軸を切り替えた表示を行うことを特徴とする請求項１０記載の画像処理装置である。
【００１７】
また、本願請求項１３に係る発明は、上記請求項９に記載の画像処理プログラムにおいて、前記画像の色空間を前記出力色空間に変換した場合の色域を縮拡する指示を受け付けて該色域の調整を行うステップを有しており、前記はみだしている領域があるか否かの判定では、前記ステップで調整した後の色域について前記印刷手段で取り扱う出力色空間での色域に対してはみ出しているか否かを判定するものである
【００１８】
また、本願請求項１４に係る発明は、上記請求項９に記載の画像処理プログラムにおいて、前記画像の色空間を前記出力色空間に変換した場合の色域を縮拡する指示を受け付けて該色域の調整を行うステップを有しており、前記表示手段には、前記ステップで調整した後の色域と連動して前記色域外領域を前記画像に重ねて表示する
ことを特徴とする請求項９記載の画像処理プログラム。
【００１９】
また、本願請求項１５に係る発明は、上記請求項１３または１４に記載の画像処理プログラムにおいて、前記色域の調整を行うステップでは、前記画像の色空間を前記出力色空間に変換した場合の色域を縮拡する際の該色域上の変更開始点と変更終了点とを受け付けて、当該変更開始点と変更終了点とを結ぶ線を中心とした所定の割合で前記色域の縮拡を調整するものである。
【００２０】
また、本願請求項１６に係る発明は、上記請求項１５に記載の画像処理プログラムにおいて、前記表示手段に、前記所定の割合の係数を受け付けるための表示を行うものである。
【００２１】
また、本願請求項１７に係る発明は、画像を表示する表示部と、前記表示部に画像を表示する制御を行う画像表示部と、前記表示部に表示された画像を印刷する印刷部と、前記印刷部で取り扱う出力色空間での色域に対して前記画像の色空間を前記出力色空間に変換した場合の色域がはみ出しているか否かを判定する色域判定部と、前記色域判定部ではみ出している色域があると判定した場合、そのはみ出している色域に対応する前記画像の表示領域を色域外領域として前記表示手段の前記画像に重ねて表示する色域表示部とを備える画像処理システムである。
【発明の効果】
【００２２】
このような本発明によれば、次のような効果がある。すなわち、本願請求項１に係る発明によれば、印刷対象となる画像の出力色空間での色域に対するはみ出した領域を色域外領域として画像の表示に重ねて表示できるため、画像におけるどの部分が印刷手段での色域対象外であるのかを即座に把握することが可能となる。
【００２３】
また、本願請求項２に係る発明では、印刷手段で取り扱う出力色空間の色域を均等色空間で表した第１のグラフ表示と、印刷対象となる画像の出力色空間での色域を均等色空間で表した第２のグラフ表示とを重ねて表示するため、印刷対象となる画像の出力色空間での色域に対するはみ出した部分を色空間のグラフとして把握することが可能となる。
【００２４】
また、本願請求項３に係る発明では、第１のグラフ表示および第２のグラフ表示と印刷対象となる画像とを並べて表示するため、画像とともに表示される色域外領域と色空間でのはみ出し部分とを一括して把握することが可能となる。
【００２５】
また、本願請求項４に係る発明では、切り替え指示に応じて第１のグラフ表示および第２のグラフ表示における空間軸を切り替えるため、所望の空間軸を基準とした色域のグラフ表示を行うことが可能となる。
【００２６】
また、本願請求項５に係る発明では、印刷対象となる画像の色域について縮拡の指示を受け付け、その調整を行った場合、調整後の色域について印刷手段で取り扱う出力色空間に対するはみ出しを判定するため、調整結果を即座に反映させることが可能となる。
【００２７】
また、本願請求項６に係る発明では、印刷対象となる画像の色域について縮拡の指示を受け付け、その調整を行った場合、調整後の色域と連動して色域外領域を表示手段に表示するため、調整結果を表示手段に即座に反映させることが可能となる。
【００２８】
また、本願請求項７に係る発明では、印刷対象となる画像の色域を縮拡する際の色域上の変更開始点と変更終了点とを受け付けて、その変更開始点と変更終了点とを結ぶ線を中心とした所定の割合で色域の縮拡を調整するため、無理のない自然な色域調整を行うことが可能となる。
【００２９】
また、本願請求項８に係る発明では、色域調整における色域上の変更開始点と変更終了点とを結ぶ線を中心とした縮拡の調整についての割合を設定できるため、ユーザの好みにあった調整度合いを設定することが可能となる。
【００３０】
また、本願請求項９に係る発明によれば、印刷対象となる画像の出力色空間での色域に対するはみ出した領域を色域外領域として画像の表示に重ねて表示できるため、画像におけるどの部分が印刷手段での色域対象外であるのかを即座に把握することが可能となる。
【００３１】
また、本願請求項１０に係る発明では、印刷手段で取り扱う出力色空間の色域を均等色空間で表した第１のグラフ表示と、印刷対象となる画像の出力色空間での色域を均等色空間で表した第２のグラフ表示とを重ねて表示するため、印刷対象となる画像の出力色空間での色域に対するはみ出した部分を色空間のグラフとして把握することが可能となる。
【００３２】
また、本願請求項１１に係る発明では、第１のグラフ表示および第２のグラフ表示と印刷対象となる画像とを並べて表示するため、画像とともに表示される色域外領域と色空間でのはみ出し部分とを一括して把握することが可能となる。
【００３３】
また、本願請求項１２に係る発明では、切り替え指示に応じて第１のグラフ表示および第２のグラフ表示における空間軸を切り替えるため、所望の空間軸を基準とした色域のグラフ表示を行うことが可能となる。
【００３４】
また、本願請求項１３に係る発明では、印刷対象となる画像の色域について縮拡の指示を受け付け、その調整を行った場合、調整後の色域について印刷手段で取り扱う出力色空間に対するはみ出しを判定するため、調整結果を即座に反映させることが可能となる。
【００３５】
また、本願請求項１４に係る発明では、印刷対象となる画像の色域について縮拡の指示を受け付け、その調整を行った場合、調整後の色域と連動して色域外領域を表示手段に表示するため、調整結果を表示手段に即座に反映させることが可能となる。
【００３６】
また、本願請求項１５に係る発明では、印刷対象となる画像の色域を縮拡する際の色域上の変更開始点と変更終了点とを受け付けて、その変更開始点と変更終了点とを結ぶ線を中心とした所定の割合で色域の縮拡を調整するため、無理のない自然な色域調整を行うことが可能となる。
【００３７】
また、本願請求項１６に係る発明では、色域調整における色域上の変更開始点と変更終了点とを結ぶ線を中心とした縮拡の調整についての割合を設定できるため、ユーザの好みにあった調整度合いを設定することが可能となる。
【００３８】
また、本願請求項１７に係る発明によれば、印刷対象となる画像の出力色空間での色域に対するはみ出した領域を色域外領域として画像の表示に重ねて表示できるため、画像におけるどの部分が印刷手段での色域対象外であるのかを即座に把握することが可能となる。
【発明を実施するための最良の形態】
【００３９】
以下、本発明の実施の形態を図に基づき説明する。本実施形態に係る画像処理装置および画像処理プログラムならびに画像処理システムでは、印刷対象となる画像を表示手段（モニタ）に映し出した状態で、印刷手段で取り扱う出力色空間での色域に対するその画像の色空間を出力色空間に変換した場合の色域の相違を調整するもので、ユーザによる直観的な色域調整を行うことができ、色調整を納得いくまで行うことができるようになっている。
【００４０】
ここで、本実施形態に係る画像処理装置は、パーソナルコンピュータを利用したものや画像処理専用コンピュータ、プリンタや複写機等の画像出力装置に組み込まれた構成が考えられる。また、本実施形態に係る画像処理プログラムは、パーソナルコンピュータで実行されるグラフィックス処理ソフトウェアの一部として実現したり、画像処理専用コンピュータで実行されたり、プリンタや複写機等の画像出力装置で実行されるソフトウェアの一部として実行されたり、記録媒体に格納もしくは通信回線を介して配信される対象となったりするものである。また、本実施形態に係る画像処理システムは、本実施形態に係る画像処理装置に画像を表示する表示部や画像を印刷する印刷部を備えたシステム構成として実現される。
【００４１】
図１は、本実施形態に係る画像処理装置を説明するブロック図である。なお、以下の説明では、印刷対象となっている画像のモニタへの表示を画像ビュー、印刷部（出力デバイス）で取り扱う色空間での色域を均等色空間に変換してグラフ表示したものを色域ビューと言うことにする。また、以下の説明では、画像のモニタ表示での色空間としてＲＧＢ、出力デバイスの出力色空間としてＹＭＣＫ、均等色空間としてＬ*ａ*ｂ*を用いるものとするが、これら以外の色空間であってもよい。
【００４２】
本実施形態の画像処理装置は、画像ビューにて画像の色を調整しつつ、その画像の出力デバイスでの色域外領域を色域外警告として表示でき、かつ、色域ビューにて色域圧縮を手動で行うことができること、および画像ビューでの色域外領域の表示と、色域ビューでの動作が連動することを特徴としている。
【００４３】
すなわち、図１に示すように、本実施形態の画像処理装置は、正色変換部１、色調整部２、色域表示部３、色域判定部４、逆色変換部５および画像表示部６を備えている。正色変換部１は、印刷対象となっているＲＧＢ画像を表示デバイスのプロファイルに基づきにＬ*ａ*ｂ*画像に変換する部分である。
【００４４】
色調整部２は、ユーザによる入力デバイス（例えば、マウスや方向キー）の動作を受け付けて画像の色域を調整する処理を行う部分である。ここで、画像の色域を調整する際には、正色変換部１で変換されたＬ*ａ*ｂ*画像での色域を用いて行う。Ｌ*ａ*ｂ*等の均等色空間では、ＲＧＢ等の表示デバイスで取り扱う色空間からも、ＹＭＣＫ等の出力デバイスで取り扱う色空間からも容易に変換でき、統一した色空間で処理を行うことができるようになる。
【００４５】
色域表示部３は、画像のＬ*ａ*ｂ*空間での色域や出力デバイスのＬ*ａ*ｂ*空間での色域を色域ビューとしてモニタに表示する制御を行う部分である。色調整部２で色域が調整された場合には、その調整後の色域を連動して色域ビューに表示する。
【００４６】
また、色域判定部４は、出力デバイスの出力色空間での色域に対して、画像の色空間を出力色空間に変換した場合の色域がはみ出しているか否かを判定する部分である。はみ出している領域がある場合には、その領域に対応する画像ビューの位置に色域外警告の表示が成されることになる。
【００４７】
逆色変換部５は、Ｌ*ａ*ｂ*画像をＲＧＢ画像に変換する部分である。画像表示部６は、逆色変換部５で変換されたＲＧＢ画像をモニタに表示する制御を行う部分である。
【００４８】
図２は、本実施形態に係る画像処理ソフトウェアによるユーザインタフェースの例を説明する模式図である。すなわち、モニタの表示には、画像ビューと色域ビューとの２つがあり、色の関係が連動するようになっている。
【００４９】
画像ビューには印刷対象となる画像がモニタの色空間に基づいて表示されている。一方、色域ビューには、印刷装置で取り扱う色空間（出力色空間）の色域と、画像ビューに表示される画像の色空間を出力色空間に変換した際の色域とが所定の色空間軸（ここでは均等色空間の軸）に沿ってグラフ表示されている。２つのグラフ表示は同じ軸を基準として重ね合わされており、画像の色域が印刷装置の色域からはみ出している部分があることを即座に把握することができる。
【００５０】
このはみ出している部分（色域外）があると、その色域外の部分に対応した画像の位置が画像ビューに色域外警告として表示される。したがって、ユーザは、色域ビューによって所定の色空間軸に沿った色域外を把握できるとともに、画像ビューの色域外警告を参照することで色域外の部分が画像のどの位置になっているのかを的確に把握することができる。
【００５１】
そして、ユーザは色域ビューのグラフ表示を見ながら、マウス等の操作によって色域の縮拡を行うことができる。色域の縮拡操作については後述する。
【００５２】
また、モニタの表示には、色域の決定について「ＯＫ」ボタン、「リセット」ボタンが設けられており、色域を調整してその調整後の色域で決定する場合には「ＯＫ」ボタンを、元の画像の色域に戻す場合には「リセット」ボタンを押下する。
【００５３】
また、「表示切替」ボタンを選択することによって色域ビューのグラフ表示における色空間の軸を切り替えることができる。例えば、図３（ａ）に示すように、ａ*ｂ*の軸を基準とした色域のグラフ表示が成されている状態で「表示切替」ボタンを選択すると、図３（ｂ）に示すようなＬ*ｃ*を軸としたグラフ表示に切り替えることができる。つまり、明度と彩度重視で圧縮したい場合は、Ｌ*ｃ*面による色域ビューを参照しながら調整すればよい。ｃ*は、例えば、図３（ａ）に示すａ*ｂ*面のグラフ表示で、はみ出し領域に属する画素のうち、最も彩度の高い画素を含む面をｃ*とすればよい。また、ｃ*となる軸は、マウス等の操作で所望の方向に変更できるようにしてもよい。
【００５４】
「表示切替」ボタンは選択するたびに色空間の軸が順に切り替わるようになっている。すなわち、図３（ｂ）に示すＬ*ｃ*を軸としたグラフ表示の状態で「表示切替」ボタンを選択すれば、図３（ａ）に示すａ*ｂ*を軸としたグラフ表示に切り替えることができる。したがって、色相と彩度とを重視する場合には、「表示切替」ボタンを選択することで図３（ａ）に示すようなａ*ｂ*を軸としたグラフ表示にして調整を行えばよい。なお、ここでは２種類の表示を切り替えているが、Ｌ*ａ*面やＬ*ｂ*面による表示を加えて順次切り替え表示できるようにしてもよい。
【００５５】
ユーザは、このようなモニタの表示において、印刷対象となる画像の状態を画像ビューで参照しながら、その画像の色域および印刷装置の色域をグラフ表示した色域ビューによって、印刷対象となる画像の色域が印刷装置の色域をはみ出しているか否かを直観的に把握することができるようになる。特に、色域ビューでは所定の空間軸による色域のグラフ表示によってはみ出し部分を把握し、画像ビューではそのはみ出した部分の画像の位置を色域外警告によって把握することができる。また、色域ビューでは空間軸を適宜切り替えることで、所望の空間軸を中心とした色域を参照でき、好みに合った調整や手動による微調整を円滑に行うことができるようになる。
【００５６】
図４は、マウスの動作に伴う色域圧縮処理を説明する模式図である。すなわち、ユーザは、モニタに表示された色域ビューを参照しながらモニタ上のポインタをマウスで操作するによって色域の調整を行うことができる。つまり、マウスをクリックした位置（変更開始点）のＬ*ａ*ｂ*から、マウス移動先の位置（変更終了点）のＬ*ａ*ｂ*までの距離Ｄを計算し、その周辺の色の移動量ｄを、例えば、以下の数式１で制御すればよい。
【００５７】
ｄ＝ｗＤ  …（数式１）
【００５８】
また、マウスをクリックした位置のＬ*ａ*ｂ*から周辺の色までの距離をｓとし、ｗをｓの関数として以下の単調減少関数（数式２）で表す。
【００５９】
ｗ＝１／｛１＋（ｓ／ｓinf）p｝  …（数式２）
ここで、ｓinfは関数の変曲点を制御し、ｐは関数の最大勾配を制御するパラメータである。
【００６０】
このようにすることで、マウスをクリックした位置から離れるにつれて、移動量を小さくする色域圧縮を行うことができる。
【００６１】
図５は、上記数式２のパラメータを可変にするユーザインタフェースの例を説明する模式図である。すなわち、ここではマウス操作によって色域の調整を行った場合に、そのマウス操作の位置から離れるにしたがい移動量が小さくなっていくが、この度合いをモニタ上のスライダで調整できるようになっている。具体的には、ユーザによる調整モードの選択によってモニタ上にスライダを表示させ、マウス等の操作によってモニタ上のスライダを所望の位置に設定し、スライダの位置が小に設定された場合には、色域のマウスによる調整ライン近傍の移動量を制御するｓinfを小さくし、大に設定された場合はｓinfを大きくすることで制御することができる。
【００６２】
図６は、色域判定部での処理の流れを説明するフローチャートである。マウスにより色域が調整されたＬ*ａ*ｂ*は、出力デバイスの色成分への変換が行われる（ステップＳ１）。例えば、出力デバイスがＣＭＹＫプリンタである場合、Ｌ*ａ*ｂ*→ＣＭＹＫのルックアップテーブルを用いることで変換をすればよい。
【００６３】
次に、変換後の色成分が色域内にあるか否かの判断を行う（ステップＳ２）。ＣＭＹＫは通常、０〜１００％の網点面積率で表されるので、この範囲外であった場合は、色域外と見なすことができる。
【００６４】
そして、色域内であれば、Ｌ*ａ*ｂ*をそのまま出力すればよく、色域外であれば、色域外警告を表す色へのクリップを行い（ステップＳ３）、クリップされたＬ*ａ*ｂ*を出力すればよい。この処理によって、ユーザの色域の調整とともに色域外警告の領域が逐次変更され、ユーザのマウス操作と連動して画像ビュー上での色域外警告の領域が変化することになる。
【００６５】
また、本実施形態では、図７に示すように、色域ビュー内に画像の色分布を表すこともできる。すなわち、この画像の例では、画像ビューに示される画像の出力デバイスの色空間での色域が、出力デバイスで表現できる色域よりも小さい場合を示しており、色域ビューでは画像の色分布を示す色域が全て出力デバイスの色域内に収まっていることが分かる。
【００６６】
このような画像では、出力デバイスの再現に余裕があることから、ユーザの好みに応じて画像の色域を出力デバイスの色域内で適宜拡張することができる。色域の拡張を行う場合も色域ビューのグラフ表示をマウス操作によって調整することで行う。
【００６７】
図８は、色域ビューを用いた色域の拡張操作を説明する模式図である。すなわち、ユーザは、モニタに表示された色域ビューを参照しながらモニタ上のポインタをマウスで操作するによって色域の調整を行う。つまり、現在の画像の色域のグラフ上の所望の位置をマウスでクリックし、この位置を変更開始点とし、マウスを操作してマウス移動先の位置を変更終了点とする。これにより、変更開始点と変更終了点をつなぐラインに沿って画像の色域が拡張され、そのラインから離れるに従い徐々に移動量が少なくなるよう色域の拡張を行う。
【００６８】
具体的な調整量は、上記数式１および数式２を用いる。つまり、マウスをクリックした位置（変更開始点）のＬ*ａ*ｂ*から、マウス移動先の位置（変更終了点）のＬ*ａ*ｂ*までの距離Ｄを計算し、その周辺の色の移動量ｄを数式１で制御する。そして、マウスをクリックした位置のＬ*ａ*ｂ*から周辺の色までの距離をｓとし、ｗをｓの関数として数式２で表して調整する。
【００６９】
これにより、例えば、空領域をより鮮やかな青色にしたい場合など、ディスプレイ上では表示されなくても、出力デバイスが再現できる限界の色での色再現を行うことができる。
【図面の簡単な説明】
【００７０】
【図１】本実施形態に係る画像処理装置を説明するブロック図である。
【図２】本実施形態に係る画像処理ソフトウェアによるユーザインタフェースの例を説明する模式図である。
【図３】色域ビューの空間軸の切り替え表示について説明する模式図である。
【図４】マウスの動作に伴う色域圧縮処理を説明する模式図である。
【図５】移動量制御のパラメータを可変にするユーザインタフェースの例を説明する模式図である。
【図６】色域判定部での処理の流れを説明するフローチャートである。
【図７】色域の拡張を行う場合のユーザインタフェースの例を説明する模式図である。
【図８】色域拡張の例を説明する模式図である。
【符号の説明】
【００７１】
１…正色変換部、２…色調整部、３…色域表示部、４…色域判定部、５…逆色変換部、６…画像表示部
【図１】
2008015583.tif 000003
【図２】
2008015583.tif 000004
【図３】
2008015583.tif 000005
【図４】
2008015583.tif 000006
【図５】
2008015583.tif 000007
【図６】
2008015583.tif 000008
【図７】
2008015583.tif 000009
【図８】
2008015583.tif 000010